(57)【要約】    【課題】屋根の前枠を支持する支柱を庭に立てる必要がなく、屋根の取付けの自由度やそれに伴う採光の自由度が上がり、敷地の有効利用も図れる家屋に付設する屋根装置を提供する。    【解決手段】家屋２の周囲に設置されるエクステリア構築物１と家屋１の躯体との間に複数本の梁３を設置する。複数本の梁３のうちの少なくとも一部が、屋根の取付金具を梁の長手方向に位置調整自在に取付け可能な構造を有する。取付金具が取付け可能な梁３の上に、屋根４の前枠９を前記取付金具を介して固定する。【選択図】図１
2005299245.tif 000002
【特許請求の範囲】
【請求項１】
家屋の周囲に設置されるエクステリア構築物と家屋の躯体との間に複数本の梁を設置し、
前記複数本の梁のうちの少なくとも一部が、屋根の取付金具を梁の長手方向に位置調整自在に取付け可能な構造を有し、
前記取付金具が取付け可能な梁の上に、屋根の前枠を前記取付金具を介して固定したことを特徴とする家屋に付設する屋根装置。
【請求項２】
請求項１に記載の家屋に付設する屋根装置おいて、
前記取付金具は平面視が十字形をなし、前記前枠は、前記取付金具により、前記梁に対して梁の長手方向に対して交差する方向に位置調整自在に取付けられることを特徴とする家屋に付設する屋根装置。
【請求項３】
請求項１または２に記載の家屋に付設する屋根装置において、
前記エクステリア構築物に対し、前記梁の前端が角度調整自在な取付金具を介して取付けられることを特徴とする家屋に付設する屋根装置。
【請求項４】
請求項１から３までのいずれかに記載の家屋に付設する屋根装置おいて、
前記梁のうち、家屋の躯体の柱部分に後端を固定した複数本の梁の上に前記屋根の前枠を前記取付金具を介して固定し、これらの梁と前枠を支持しない梁との間に隙間を形成したことを特徴とする家屋に付設する屋根装置。
【請求項５】
請求項１から４までのいずれかに記載の家屋に付設する屋根装置おいて、
前記梁のうち、両端に位置する梁と、前記家屋の外面と、前記エクステリア構築物とで囲まれたスペースのうちの一部を屋根で覆ったことを特徴とする家屋に付設する屋根装置。
【発明の詳細な説明】
【技術分野】
【０００１】
本発明は、家屋に付設して設置されるカーポートの屋根やテラスの屋根あるいは庭上の屋根等の屋根装置に関する。
【背景技術】
【０００２】
家屋に付設して設置されるテラスの屋根やカーポートの屋根あういは庭上の屋根は、従来、例えば特許文献１に記載のように、屋根の縦枠の後端を家屋の躯体に固定し、屋根の前枠は地面に立てた支柱により支持して構築される。
【０００３】
【特許文献１】特開２００１−９０２８５号公報
【発明の開示】
【発明が解決しようとする課題】
【０００４】
前記従来の屋根装置は、いくつかの大小の規格あるいは構造の違いにより、数種類のものが容易されているにしても、全体として構造が固定された構造であって、前枠が必ず支柱により支持される構造であるため、庭等に支柱を立てることが必要になり、狭い住宅事情ではその支柱が歩行や他の装置設置等の邪魔になったり、敷地の有効利用が図れないという問題点がある。
【０００５】
また、庭等で花等の植物を育てるガーデニングのため、あるいは家屋への採光もしくはプライバシーの保護に関連して、ある程度屋根による太陽光の遮光や雨よけの面積、あるいは目隠しのための面積を狭くあるいは広くしようとしても、従来の屋根装置では前枠を支持する支柱の設置位置との関係や固定された広さのために自由な設計が難しいという問題点がある。
【０００６】
本発明は、上記した事情に鑑み、屋根の前枠を支持する支柱を庭に立てる必要がなく、屋根の取付けの自由度やそれに伴う採光の自由度が上がり、敷地の有効利用も図れる家屋に付設する屋根装置を提供することを目的とする。
【課題を解決するための手段】
【０００７】
（１）本発明の家屋に付設する屋根装置は、
家屋の周囲に設置されるエクステリア構築物と家屋の躯体との間に複数本の梁を設置し、
前記複数本の梁のうちの少なくとも一部が、屋根の取付金具を梁の長手方向に位置調整自在に取付け可能な構造を有し、
前記取付金具が取付け可能な梁の上に、屋根の前枠を前記取付金具を介して固定したことを特徴とする。
【０００８】
（２）また、本発明の家屋に付設する屋根装置は、前記（１）において、
前記取付金具は平面視が十字形をなし、前記前枠は前記取付金具により、前記梁に対して梁の長手方向に対して交差する方向に位置調整自在に取付けられることを特徴とする。
【０００９】
（３）また、本発明の家屋に付設する屋根装置は、前記（１）または（２）において、
前記梁の前端が角度調整自在な取付金具を介して取付けられることを特徴とする。
【００１０】
（４）また、本発明の家屋に付設する屋根装置は、前記（１）から（３）までのいずれかにおいて、
前記梁のうち、家屋の躯体の柱部分に後端を固定した複数本の梁の上に前記屋根の前枠を前記取付金具を介して固定し、これらの梁と前枠を支持しない梁との間に隙間を形成したことを特徴とする。
【００１１】
（５）また、本発明の家屋に付設する屋根装置は、前記（１）から（４）までのいずれかにおいて、
前記梁のうち、両端に位置する梁と、前記家屋の外面と、前記エクステリア構築物とで囲まれたスペースのうちの一部を屋根で覆ったことを特徴とする。
【発明の効果】
【００１２】
本発明のエクステリア構築物は、家屋の周囲に設置されるエクステリア構築物と家屋の躯体との間に複数本の梁を設置し、前記複数本の梁のうちの少なくとも一部が、屋根の取付金具を梁の長手方向に位置調整自在に取付け可能な構造を有し、前記取付金具が取付け可能な梁の上に、屋根の前枠を前記取付金具を介して固定したので、屋根の前端位置は梁の長さに拘束されず、梁の長手方向の任意の位置にまで屋根を張り出した構造が実現でき、また、前枠を支持する柱の設置位置にも拘束されないので、屋根の設計の自由度があがり、家屋の部屋の採光、目隠しやガーデニングのための好適な広さ、位置を有する屋根が構築できる。
【００１３】
また、敷地の周囲に設置される塀や門柱等のエクステリア構築物と家屋との間に屋根の前枠支持用支柱を設置する必要がないため、敷地内に支柱が存在することによって支柱が歩行や他の装置設置等の邪魔になることがなく、敷地の有効利用が図れる。
【００１４】
また、前記取付金具の形状を平面視が十字形をなすものとし、前記前枠は前記取付金具により、前記梁に対して梁の長手方向に対して交差する方向に位置調整自在に取付けられる構造とすることにより、梁に長手方向に交差する方向についての屋根の設置位置の自由度があがり、採光等の位置設定がより容易となる。
【００１５】
また、前記梁の前端が角度調整自在な取付金具を介して取付けられる構造とすれば、エクステリア構築物を設置する敷地の外周辺と家屋の外壁との間が非平行である場合にも、長さの異なる梁をエクステリア構築物と家屋との間に架設することによって、梁を平行に設置することができ、敷地に支柱を立てることなく、敷地が有効利用できる。
【００１６】
また、前記梁のうち、家屋の躯体の柱部分に後端を固定した複数本の梁の上に前記屋根の前枠を前記取付金具を介して固定し、これらの梁と前枠を支持しない梁との間に隙間を形成した構造とすれば、屋根の支持強度が上がり、かつ屋根の荷重が屋根を支持しない梁にかからないので、梁を介して家屋の比較的支持強度の弱い部分に屋根の荷重がかかることを防止することができる。
【００１７】
また、前記梁のうち、両端に位置する梁と、前記家屋の外面と、前記エクステリア構築物とで囲まれたスペースのうちの一部を屋根で覆った構造とすることにより、従来のように梁を設ける全領域を屋根で覆う構造に比較し、敷地や家屋が不必要に遮光、目隠しあるいは雨よけされる不具合を防止することができる。
【発明を実施するための最良の形態】
【００１８】
図１、図２、図３はそれぞれ本発明による家屋に付設する屋根装置の一実施の形態を示す斜視図、側面図、平面図であり、図１〜図２において、１は塀や門柱等のエクステリア構築物、２は家屋、３はエクステリア構築物１と家屋２との間に架設した梁、４は屋根である。梁３はエクステリア構築物１に取付金具５を介して取付けられ、後端は取付金具６を介して家屋２の躯体７に取付けられる。屋根４は後端を家屋２の躯体７に取付金具８により固定し、前枠９を梁３の上に取付金具１０により固定して取付けられる。
【００１９】
前記梁３は図４（Ａ）の端面図と図４（Ｂ）の平面図に示すように断面形状がほぼボックス形をなし、上面には屋根４の前枠９を接続するための取付金具１０をスライド嵌合するための溝３ａとナット板収容溝３ｂとを有する。また、梁３の前端の上面は、前記取付金具５に固定するために切除して開口部３ｃを形成している。
【００２０】
図５（Ａ）、（Ｂ）はそれぞれ前記取付金具５の端面図、側面図であり、この取付金具５はアルミニウム合金製押出型材を短く切断したものであり、エクステリア構築物１にドリリングタッピンねじにより固定するためのタッピング孔５ａを有する。
【００２１】
前記取付金具６は図６（Ａ）の側面図と図６（Ｂ）の正面図に示すように梁３を外嵌する側板部６ａと上下の取付片６ｂ、６ｃとを有し、これらの取付片６ｂ、６ｃに取付孔６ｄ、６ｅを有し、かつ側板部６ａにねじ孔６ｆを有する。
【００２２】
１２はこの接続部の外観を高めるため、前記取付金具６を覆うカバーであり、このカバー１２は図７（Ａ）の側面図と図７（Ｂ）の正面図に示すように、前記梁３を内嵌する開口部１２ａを有し、躯体側の上下に前記取付金具６の取付片６ｂ、６ｃを覆うボックス部１２ｂ、１２ｃを有し、上下面に孔１２ｄ、１２ｅを有する。
【００２３】
この梁３の後端は、図８（Ａ）の側面図、図８（Ｂ）の断面図に示すように、前記躯体７に取付金具６をねじ等の固定具１３により固定し、この取付金具６の側板部６ａ、６ａに梁３の後端を外嵌し、梁３の側面の孔３ｄ（図４（Ａ）参照）から通すねじ１４を取付金具６の側面のねじ孔６ｆに螺入して梁３の後端を取付金具６に固定する。
【００２４】
次に梁３に嵌合しておいたカバー１２を図８（Ａ）の２点鎖線の位置から矢印Ｘで示すように移動させて取付金具６に嵌合してこの取付金具６および梁３の後端部を覆い、ドリリングタッピンねじ１５をカバー１２の上下の孔１２ｄ、１２ｅから挿通して梁３に螺入することによってカバー１２を取付金具６に固定する。
【００２５】
また、梁３の前端は、図９に示すように、前記開口部３ｃを、エクステリア構築物１に固定されている取付金具５に下から嵌め、ドリリングタッピンねじ１６により取付金具５に固定する。
【００２６】
屋根４の前枠９を梁３に固定する取付金具１０は、それぞれ図１０（Ａ）、（Ｂ）、（Ｃ）の正面図、平面図、側面図に示すように、前記梁３の上面に形成した係合溝３ａに嵌合する取付片１０ａと、その中間部に連結部１０ｂを介して一体に結合され、前記取付片１０ａと直交する方向に形成した取付片１０ｃとを有し、平面視が十字形をなす。前記取付片１０ｃは、前記前枠９の下面に形成された係合溝９ａにスライド嵌合させるものである。各取付片１０ａ、１０ｃにはそれぞれ孔１０ｄ、１０ｅを有する。
【００２７】
前記梁３と屋根４の前枠９とは、図１１の側面断面図、図１２の正面断面図に示すように、梁３の上面の係合溝３ａに取付金具１０の取付片１０ａを嵌合し、ねじ部品１７（ねじまたはボルト）を前記取付金具１０の孔１０ｄに通して予め梁３の収容溝３ｂに収容されているナット板１９のねじ孔に緩く螺合しておく。そしてこの取付金具１０の梁３の長手方向の位置を調整して、前枠９の係合溝９ａを取付金具１０の取付片１０ｃに嵌合させ、この取付片１０ｃの孔１０ｅにねじ部品２０を挿通して、予め前枠９のナット板収容溝９ｂに収容されているナット板２１のねじ孔に螺合し、両ねじ部品１７、２０を締め付けることにより、梁３上に前枠９を固定する。
【００２８】
このように、家屋の周囲に設置されるエクステリア構築物１と家屋２の躯体７との間に複数本の梁３を設置し、前記複数本の梁３のうちの少なくとも一部が、屋根４の取付金具１０を梁の長手方向に位置調整自在に取付け可能な構造を有し、前記取付金具１０が取付け可能な梁３の上に、屋根４の前枠９を前記取付金具１０を介して固定したので、屋根４の前端位置は梁３の長さに拘束されず、梁３の長手方向の任意の位置にまで屋根４を張り出した構造が実現でき、また、従来のような前枠９を支持する支柱が無いので、屋根４の設計、設置の自由度があがり、家屋の部屋の採光、目隠しやガーデニングのための好適な広さ、位置を有する屋根４が容易に構築できる。
【００２９】
また、敷地の周囲に設置される塀や門柱等のエクステリア構築物１と家屋２との間に屋根の前枠支持用支柱を設置する必要がないため、従来のように敷地内に支柱が存在することによって支柱が歩行や他の装置の設置等の邪魔になることがなく、敷地の有効利用が図れる。
【００３０】
また、本実施の形態のように、前記取付金具１０の形状を平面視が十字形をなすものとし、前記前枠９は前記取付金具１０により、前記梁３に対して梁３の長手方向に対して交差する方向に位置調整自在に取付けられる構造とすれば、梁３に長手方向に交差する方向についての屋根４の設置位置の自由度があがり、採光等の位置設定がより容易となる。
【００３１】
また、本実施の形態のように、前記梁３のうち、図３に示すように、家屋の躯体７の柱７ａ部分に後端を固定した複数本の梁３の上に前記屋根の前枠９を前記取付金具１０を介して固定し、図１１に示すように、この取付金具１０により、梁３と前枠９との間に隙間Ｈを形成し、これにより、前枠９を支持する梁３と前枠９を支持しない梁３との間に隙間を形成した構造とすれば、屋根の支持強度が上がり、かつ屋根の荷重が屋根を支持しない梁にかからないので、梁を介して家屋の比較的支持強度の弱い部分に屋根の荷重がかかることを防止することができる。
【００３２】
また、図３に示すように、前記梁９のうち、両端に位置する梁３と、前記家屋１の外面と、前記エクステリア構築物１とで囲まれたスペースのうちの一部を屋根４で覆った構造とすることにより、従来のように梁を設ける全領域を屋根で覆う構造に比較し、敷地や家屋が不必要に遮光、目隠しあるいは雨よけされる不具合を防止することができる。
【００３３】
図１３（Ａ）は本発明による屋根装置の他の実施の形態を示す平面図、図１３（Ｂ）はその部分拡大図であり、家屋２の外壁２ａと敷地の外周辺２３とが非平行である場合に好適なものである。この場合、長さの異なる複数本の梁３が、その前端を角度調整自在な取付金具２４を介してエクステリア構築物１に取付けられる構造としている。
【００３４】
前記取付金具２４は、図１３（Ｂ）に示すように、エクステリア構築物１に固定されるホルダ２５と、このホルダ２５に水平回動角調整自在に取付けられる角度調整金具２６と、この角度調整金具２６に固定される前記取付金具５とからなる。
【００３５】
前記ホルダ２５は、図１４（Ａ）の背面図、図１４（Ｂ）の側面図、図１４（Ｃ）の平面図に示すように、片面開口のボックス形をなし、そのエクステリア構築物１への取付け面、側面、上下面にそれぞれ孔２５ａ、２５ｂ、２５ｃを有する。
【００３６】
図１５（Ａ）の背面図、図１５（Ｂ）の平面図に示すように、前記角度調整金具２６は、アルミニウム合金製押出形材でなるもので、両側面２６ａが弧状をなし、梁３側の背面２６ｂが前記取付金具５の取付けのためにコ字形をなし、かつ上下に貫通するタッピング孔２６ｃを有する、
この取付金具２４は、図１３（Ｂ）の平面図に示すように、前記ホルダ２５をその取付け面の孔２５ａに挿通するドリリングタッピンねじ２７によりエクステリア構築物１に固定し、このホルダ２５に角度調整金具２６を嵌めてホルダ２５の上下の孔２５ｃよりドリリングタッピンねじ２９を遊嵌して角度調整金具２６のタッピング孔２６ｃに螺入してホルダ２５に角度調整金具２６を水平回動可能に収容する。そしてこの角度調整金具２６の背面２６ｂに前記取付金具５を嵌めてドリリングタッピンねじ３０により取付金具５を角度調整金具２６に取付ける。その後は前記同様に梁３の開口部３ｃを取付金具５に嵌め、ドリリングタッピンねじ３１により梁３を取付金具５に固定する。梁３を取付金具５に固定した後、角度調整金具２６の動きを防止するため、ホルダ２５の側面の孔２５ｂから挿通したドリリングタッピンねじ３２を挿通して角度調整金具２６の側面より螺入することにより、角度調整金具２６をホルダ２５に固定する。
【００３７】
このような角度調整可能な取付金具２４を用いれば、エクステリア構築物を設置する敷地の外周辺２３と家屋の外壁２ａとの間が非平行である場合にも、長さの異なる梁３をエクステリア構築物１と家屋２との間に架設することによって、梁３を平行に設置することができ、敷地に支柱を立てることなく、敷地が有効利用できる。
【００３８】
図１６、図１７はそれぞれ本発明の屋根装置を施工する場合に好適な構造のエクステリア構築物を示す分解斜視図と、組立後の状態を示す斜視図である。このエクステリア構築物は、アルミニウム合金製押出形材でなる左右の縦桟４１およびその間に架設される横桟４２とによりフレーム４３を構成する。縦桟４１の下部には、コンクリート基盤のアンカー（いずれも図示せず）にボルト、ナットにより固定するための穴４１ａを有する。
【００３９】
前記フレーム４３の表裏面および側面に、それぞれ木質系セメント板４４、４５をドリリングタッピンねじ４６により固定して覆う構造を有する。４７は前記フレーム４３の頂部にドリリングタッピンねじ４６により取付けるカバーであり、このカバーはアルミニウム合金製または合成樹脂製押出形材でなる。
【００４０】
このように、アルミニウム合金製押出形材でなるフレーム４３を木質系セメント板４４、４５で覆った構造のエクステリア構築物を用いれば、木質系セメント板４４、４５に直接前記取付金具５やホルダ２５を当ててドリリングタッピンねじにより木質系セメント板４４、４５を貫通してフレーム４３に螺入することにより、これらの取付金具５等を固定できるので、タイルを張設したものや発泡材でなるパネルでフレームを覆ったもののように外装材を剥離する加工を行なう必要がなく、施工が容易となる。また、木質系セメント板として比重が０．７〜１．０程度の硬質木質系セメント板（高圧木毛セメント板または硬質木片セメント板）を用いれば、ねじを用いて木質系セメント板４４、４５の表面に比較的軽量の装飾物、ポスト、表札、インターホン等を直付けできるという利点がある。
【図面の簡単な説明】
【００４１】
【図１】本発明の屋根装置の一実施の形態を示す斜視図である。
【図２】図１の側面図である。
【図３】図１の平面図である。
【図４】（Ａ）、（Ｂ）はそれぞれ本実施の形態の梁の端面図と平面図である。
【図５】（Ａ）、（Ｂ）はそれぞれ本実施の形態の梁の前端をエクステリア構築物に取付ける取付金具の端面図と側面図である。
【図６】（Ａ）、（Ｂ）はそれぞれ本実施の形態の梁の後端を躯体に取付ける取付金具の側面図と正面図である。
【図７】（Ａ）、（Ｂ）はそれぞれ本実施の形態の梁の後端を躯体に取付ける取付金具のカバーの側面図と正面図である。
【図８】（Ａ）、（Ｂ）はそれぞれ本実施の形態の梁の後端を躯体に取付ける取付金具とカバーの取付け構造を示す側面図と断面図である。
【図９】本実施の形態において、梁の前端を取付金具に取付ける構造を示す断面図である。
【図１０】（Ａ）、（Ｂ）、（Ｃ）はそれぞれ本実施の形態において、屋根の前枠を梁に固定する取付金具を示す正面図、平面図、側面図である。
【図１１】本実施の形態において、前枠を梁に取付けた状態を示す側面断面図である。
【図１２】本実施の形態において、前枠を梁に取付けた状態を示す正面断面図である。
【図１３】（Ａ）は本発明の屋根装置の他の実施の形態を示す平面図、（Ｂ）はその部分拡大図である。
【図１４】（Ａ）、（Ｂ）、（Ｃ）はそれぞれ本実施の形態における角度調整用取付金具のホルダを示す背面図、側面図、平面図である。
【図１５】（Ａ）、（Ｂ）はそれぞれ本実施の形態における角度調整金具の背面図、平面図である。
【図１６】本発明の屋根装置の施工を行なう場合に好適なエクステリア構築物の分解斜視図である。
【図１７】図１６のエクステリア構築物の組立後の状態を示す斜視図である。
【符号の説明】
【００４２】
１：エクステリア構築物、２：家屋、３：梁、４：屋根、５、６：取付金具、７：躯体、７ａ：柱、８：取付金具、９：前枠、１０：取付金具、１２：カバー、１３：固定具、１４：ねじ、１５、１６：ドリリングタッピンねじ、 １７、２０：ねじ部品、１９、２１：ナット板、２３：外周辺、２４：取付金具、２５：ホルダ、２６：角度調整金具、２７、２９、３０、３１、３２：ドリリングタッピンねじ、４１：縦桟、４２：横桟、４３：フレーム、４４、４５：木質系セメント板、４６：ドリリングタッピンねじ、４７：カバー
【図１】
2005299245.tif 000003
【図２】
2005299245.tif 000004
【図３】
2005299245.tif 000005
【図４】
2005299245.tif 000006
【図５】
2005299245.tif 000007
【図９】
2005299245.tif 000008
【図６】
2005299245.tif 000009
【図７】
2005299245.tif 000010
【図８】
2005299245.tif 000011
【図１０】
2005299245.tif 000012
【図１１】
2005299245.tif 000013
【図１２】
2005299245.tif 000014
【図１３】
2005299245.tif 000015
【図１４】
2005299245.tif 000016
【図１５】
2005299245.tif 000017
【図１６】
2005299245.tif 000018
【図１７】
2005299245.tif 000019